(57)【要約】【課題】ＩＣソケットのコンタクトにおける接触の信頼性を向上して、接触不良やガタツキを無くすようにコンタクトにくっついた半田やごみ等を擦り落してコンタクトをワイピング機構によって清浄にする。【解決手段】ＩＣパッケージが装着されるソケット本体と、該ソケット本体に設けられた複数個のコンタクトと、前記ソケット本体上に装着されるＩＣパッケージと、上下動可能なカバー部材と、前記コンタクトを開閉作動するカム機構とを有するＩＣソケットにおいて、前記コンタクトの接触部分をワイピングする手段を有する。【選択図】　　　　図１
2004055408.tif 000002
【特許請求の範囲】
【請求項１】
ＩＣパッケージが装着されるソケット本体と、該ソケット本体に設けられた複数個のコンタクトと、前記ソケット本体上に装着されるＩＣパッケージと、上下動可能なカバー部材と、前記コンタクトを開閉作動するカム機構とを有するＩＣソケットにおいて、
前記コンタクトの接触部分をワイピングする手段を有することを特徴とするＩＣソケット。
【請求項２】
前記コンタクトが、一点接触構造のコンタクトで、前記ワイピング手段が、前記ソケット本体のＩＣパッケージ装着部に隣接した接触突出部を有することを特徴とする請求項１記載のＩＣソケット。
【請求項３】
前記コンタクトが、コンタクト接触部と、コンタクトを開放作動するコンタクト操作部と、前記コンタクト接触部を弾性支持するコンタクトばね部と、コンタクト端子部とを有することを特徴とする請求項２記載のＩＣソケット。
【請求項４】
前記コンタクトが、二点接触構造のコンタクトで、前記ワイピング手段が、前記ソケット本体のＩＣパッケージ装着部に隣接してコンタクト固定接触部およびコンタクト可動接触部間に配設された接触突出部を有することを特徴とする請求項１記載のＩＣソケット。
【請求項５】
前記コンタクトが、コンタクト固定接触部と、該コンタクト固定接触部に対応して可動可能に設けられたコンタクト可動接触部と、前記コンタクト固定接触部を支持するコンタクト固定ばね部と、コンタクトを開放作動するコンタクト操作部と、前記コンタクト可動接触部を支持するコンタクト可動ばね部と、コンタクト端子部とを有することを特徴とする請求項４記載のＩＣソケット。
【請求項６】
前記コンタクト接触部が、前記接触突出部によってワイピングされることを特徴とする請求項３または５記載のＩＣソケット。
【請求項７】
前記カム機構が、前記カバー部材に設けられたカム面を有することを特徴とする請求項１記載のＩＣソケット。
【発明の詳細な説明】
【０００１】
【発明の属する技術分野】
本発明は、オープントップタイプのＩＣソケットに係るもので、特に、ＩＣパッケージの装着時に、ＩＣソケットのコンタクトを清浄にするためのワイピング機構を有するＩＣソケットに関するものである。
【０００２】
【従来の技術】
従来、電気部品としてのＩＣパッケージ等が装着されるＩＣソケットにおいては、ソケット本体が保有するコンタクトと、このようなソケット本体に装着されたＩＣパッケージのＩＣリードとの開閉を行うＩＣソケットが知られている。
【０００３】
このような従来のＩＣソケットの一例が図１３乃至図１６に示されており、図１３および図１４は従来のＩＣソケットにおけるコンタクトが一点接触タイプ、すなわち一点接触構造のＩＣソケットの開閉時の中央縦断面図で、図１５および図１６は従来のＩＣソケットにおけるコンタクトが二点接触タイプ、すなわち二点接触構造のＩＣソケットの開閉時の同様な中央縦断面図である。
【０００４】
図示されるように、従来の一点接触構造および二点接触構造のＩＣソケット１００、２００は、いずれも固定のソケット本体１０２、２０２と、中央に頂部が開放された窪み部分を有する上下動可能なカバー部材１０３、２０３と、カバー部材１０３、２０３の下部に設けられたカム機構１０４、２０４と、ソケット本体１０２、２０２に設けられる複数個の一点接触構造および二点接触構造のコンタクト１０５、２０５を有しており、周辺または両側に複数個の外部コンタクトとしてのＩＣリード１１１、２１１を有するＩＣパッケージ１１０、２１０がソケット本体１０２、２０２の中央のＩＣパッケージ装着部１０６、２０６に装着されるように構成されている。
【０００５】
先ず、従来のＩＣソケットにおいて、図１３と図１４に示される一点接触構造に就いて説明するに、コンタクト１０５は、コンタクト接触部１１４と、このコンタクト接触部１１４に対応してコンタクト１０５を開放作動するために設けられたコンタクト操作部１１６と、コンタクト１０５を弾性変形可能に支持するコンタクトばね部１１５とを有する屈曲した特異な形状の一点接触構造に形成されている。さらに、コンタクト１０５は、ソケット本体１０２に取付けられるコンタクト固着部１１８を有しており、下方に突出するコンタクト端子部１１９がコンタクト固着部１１８に設けられていて、検査装置や他の適宜な装置等に差込んで取付けできるように構成されている。
【０００６】
従って、カバー部材１０３が押圧される時に、カム機構１０４のカム１０７のカム面によって、コンタクト１０５のコンタクト操作部１１６が外側に向って移動されてコンタクト１０５のコンタクト接触部１１４が開かれるようになっている。この場合に、コンタクト１０５のコンタクト操作部１１６の先端部分は、外方に向って動かされるようになる。
【０００７】
次いで、従来のＩＣソケットにおける図１５と図１６に示される二点接触構造に就いて説明するに、コンタクト２０５は、コンタクト固定接触部２１３と、このコンタクト固定接触部２１３に対応して可動可能に設けられたコンタクト可動接触部２１４と、コンタクト固定接触部２１３を支持するコンタクト固定ばね部２１５と、コンタクト２０５を開放作動するためのコンタクト操作部２１６と、コンタクト可動接触部２１４を支持するコンタクト可動ばね部２１７とを有する屈曲した特異な形状の二点接触構造に形成されている。さらにまた、コンタクト２０５は、ソケット本体２０２に取付けられるコンタクト固着部２１８を有しており、下方に突出するコンタクト端子部２１９がコンタクト固着部２１８に設けられていて、検査装置や他の適宜な装置等に差込んで取付けできるように構成されている。
【０００８】
従って、カバー部材２０３が押圧される時に、作動機構２０４のカム２０７のカム面によってコンタクト２０５のコンタクト操作部２１６が外側に向って移動されてコンタクト可動接触部２１４がコンタクト固定接触部２１３から離されて開かれるようになっている。この場合に、コンタクト可動接触部２１４のコンタクト操作部２１６の先端部分は、下方外側に向って移動されるようになる。
【０００９】
【発明が解決しようとする課題】
しかしながら、従来のこのようなＩＣソケットにおいては、コンタクトの一点接触構造のコンタクト接触部や、二点接触構造のコンタクト固定接触部とコンタクト可動接触部等に、半田がくっついてコンタクトの接触不良を生じる原因となって好ましくなく、コンタクト部分を清浄にしてきれいに保つことが必要とされる等の問題が見られる。
【００１０】
従って、本発明の目的は、従来における上述のような問題を解決するために、ＩＣソケットのコンタクトにおける接触の信頼性を向上して、接触不良を無くすようにコンタクトにくっついた半田やごみ等を擦り落してコンタクトを清浄にするワイピング機構を有するＩＣソケットを提供することにある。
【００１１】
【課題を解決するための手段】
上述の目的を達成するために、本発明のＩＣソケットは、ＩＣパッケージが装着されるソケット本体と、該ソケット本体に設けられた複数個のコンタクトと、前記ソケット本体上に装着されるＩＣパッケージと、上下動可能なカバー部材と、前記コンタクトを開閉作動するカム機構とを有するＩＣソケットにおいて、前記コンタクトの接触部分をワイピングする手段を有することを特徴とする。
【００１２】
また、本発明のＩＣソケットは、前記コンタクトが、一点接触構造のコンタクトで、前記ワイピング手段が、前記ソケット本体のＩＣパッケージ装着部に隣接した接触突出部を有することを特徴とする。
【００１３】
さらに、本発明のＩＣソケットは、前記コンタクトが、コンタクト接触部と、コンタクトを開放作動するコンタクト操作部と、前記コンタクト接触部を弾性支持するコンタクトばね部と、コンタクト端子部とを有することを特徴とする。
【００１４】
さらにまた、本発明のＩＣソケットは、前記コンタクトが、二点接触構造のコンタクトで、前記ワイピング手段が、前記ソケット本体のＩＣパッケージ装着部に隣接してコンタクト固定接触部およびコンタクト可動接触部間に配設された接触突出部を有することを特徴とする。
【００１５】
本発明のＩＣソケットは、前記コンタクトが、コンタクト固定接触部と、該コンタクト固定接触部に対応して可動可能に設けられたコンタクト可動接触部と、前記コンタクト固定接触部を支持するコンタクト固定ばね部と、コンタクトを開放作動するコンタクト操作部と、前記コンタクト可動接触部を支持するコンタクト可動ばね部と、コンタクト端子部とを有することを特徴とする。
【００１６】
本発明のＩＣソケットは、前記コンタクト接触部が、前記接触突出部によってワイピングされることを特徴とする。
【００１７】
さらに、本発明のＩＣソケットは、前記カム機構が、前記カバー部材に設けられたカム面を有することを特徴とする。
【００１８】
本発明のその他の目的や特徴および利点は、添付図面に示される本発明の実施形態についての以下の詳細な説明から明らかである。
【００１９】
【発明の実施の形態】
（実施例１）
図１乃至図５は、本発明におけるＩＣソケットの実施例１を図示、説明するための図で、図１は、本発明のＩＣソケットのフリー状態での中央縦断面図で、図２は、図１のＩＣソケットの操作状態での中央縦断面図、図３は図１のＩＣソケットのコンタクトとＩＣリードとの接触状態を示すコンタクト接触部の拡大部分図で、図４は図２のＩＣソケットのコンタクト接触部をワイピングするクリーニング状態での拡大部分図、図５は図４のコンタクト接触部の斜視図である。
【００２０】
なお、本発明において一例として用いられるＩＣパッケージは、左右両側に多数のＩＣリード等の外部コンタクトが突出する正方形や長方形のＩＣ部品であるが、本発明は、このような正方形や長方形のＩＣ部品であるＩＣパッケージの適用に限られるものではなく、他の同様な形状のＩＣパッケージを利用できることは勿論である。
【００２１】
図１乃至図５に示されるように、本発明のＩＣソケットにおける実施例１は、フラットリードタイプ等のＩＣリードを有するＩＣパッケージに用いられるオープントップタイプのＩＣソケットに係わるもので、ＩＣソケット１は、中央にＩＣパッケージ装着部６を有するほぼ正方形あるいはまた長方形のソケット本体２と、中央に頂部が開放された窪み部分を有する上下動可能な枠形のカバー部材３と、カバー部材３の下部に設けられたカム機構４と、ソケット本体２のＩＣパッケージ装着部６の両側に配列して設けられた複数個の一点接触構造のコンタクト５とから主に構成されており、周辺または両側に外部コンタクトとしてのフラットリードタイプのＩＣリード１１を有するＩＣパッケージ１０がソケット本体２のＩＣパッケージ装着部６上に装着されるようになっている。
【００２２】
本発明におけるＩＣパッケージ１０は、本実施例では図示から理解されるように形状が正方形または長方形で、左右両側の側辺部分に沿って多数の外部コンタクトとしてのＩＣリード１１が突出するタイプのものであるが、図示のように正方形や長方形の形状に特に限定されるものではなく、他の同様な形状のもであれば良く、さらにまた、外部コンタクトであるＩＣリード１１も左右両側だけに限られるものでなく四方に突出するものでも良いことは勿論である。
【００２３】
図示されるように、本発明のＩＣソケット１において、ソケット本体２は、装着すべきＩＣパッケージ１０等が載置されて位置決めされるためのＩＣパッケージ装着部６が中央部分に設けられており、左右両側に多数のコンタクト５が並列して取付けられている。さらに、ソケット本体２には、ＩＣパッケージ装着部６に装着されるＩＣパッケージ１０を正確に配置するためにＩＣパッケージ位置決め部８が設けられると共に、コンタクト５をそれぞれ隔絶して整列するために仕切り９が設けられており、さらにまた、これら仕切り９、９の間に、ワイピング手段としての接触突出部１２が設けられている。特に、これら接触突出部１２には、１つ以上の角部１３ａ、１３ｂが設けられるのが好適であり、これら角部１３ａ、１３ｂによって、コンタクト５の接触部分であるコンタクト接触部１４の下面を擦って付着している半田やごみ等を良好に削ぎ落すことができるように形成されている。
【００２４】
また、カバー部材３は、中央に窪み部分が形成され、左右上面の外周縁辺部分に押圧面から成る押圧部３ａを有しており、カム面が形成されたカム７が、カバー部材３の下部に設けられていて、コンタクト５のコンタクト操作部１６と共にカム機構４を形成している。
【００２５】
コンタクト５は、ＩＣパッケージ１０のＩＣリード１１と接触するコンタクト部接触１４と、このコンタクト接触部１４を先端部分に有するコンタクト上ばね部１５と、カム機構４と協同されるコンタクト操作部１６と、コンタクト接触部１４とコンタクト上ばね部１５とコンタクト操作部１６を支持するコンタクト下ばね部１７と、コンタクト５をソケット本体２に固着して取付けるコンタクト固着部１８と、コンタクト固着部１８から下方に突出するコンタクト端子部１９とを有する図示の如く屈曲した特異な形状の一点接触構造を形成している。
【００２６】
このようなコンタクト５は、上方に突出するコンタクト操作部１６がカム機構４のカム７と協同して作動されるもので、コンタクト固着部１８がソケット本体２と一体に成形されて固着されており、コンタクト固着部１８から上方に延びるコンタクト下ばね部１７が弾性変形可能になっていてコンタクト５の開閉を可能にしており、コンタクト固着部１８から下方に突出するコンタクト端子部１９が検査装置や他の適宜な装置等に差込んで取付けできるように構成されている。
【００２７】
このように、カバー部材３の下方部分には、コンタクト５のコンタクト操作部１６が係合されるカム面が形成されたカム７が設けられており、カバー部材３を下方に押圧した時に、カバー部材３の下部のカム機構４のカム７のカム面によってコンタクト５のコンタクト操作部１６の先端部が図１にて下方外側に向って押されて、コンタクト５が彎曲変形され、これによってコンタクト接触部１５が、ＩＣパッケージ装着部６に装着されたＩＣパッケージ１０のＩＣリード１１から離されてＩＣパッケージ１０のＩＣリード１１が開放されてフリーになるので、ロボットや手動によってＩＣパッケージ１０を挿入したり、あるいは取り出したりすることが出来る。
【００２８】
さらにまた、本発明の実施例１においては、カバー部材３がこのように上下動されてコンタクト５が開閉されてフリー状態や操作状態に作動される時に、コンタクト５のコンタクト接触部１４の下面が、接触突出部１２の角部１３ａ、１３ｂに押し当てられて擦られるために、コンタクト接触部１４の下面に付着していた半田やごみ等が良好に削ぎ落されてきれいにワイピングされるようになっている。本発明の実施例１では、これによって、常に、コンタクト５をきれいな状態に維持して、ＩＣパッケージ１０のＩＣリード１１との接触を良好に得ることができる。なお、本発明におけるワイピング手段としての接触突出部１２の形状は、図示の形状に限られるものではなく、コンタクト５をクリーニングするように擦ることができるための形状であれば、どのような形状でも良く、適宜な任意な形状に製作できることは言うまでも無いものである。
【００２９】
（実施例２）
図６乃至図１０は、本発明におけるＩＣソケットの実施例２を図示、説明するための図で、図６は、本発明のＩＣソケットのフリー状態での中央縦断面図で、図７は、図６のＩＣソケットの操作状態での中央縦断面図、図８は図６のＩＣソケットのコンタクトとＩＣリードとの接触状態を示すコンタクト接触部の拡大部分図で、図９は図８のＩＣソケットのコンタクト接触部をワイピングするクリーニング状態での拡大部分図、図１０は図９のコンタクト接触部の斜視図である。
【００３０】
図６乃至図１０に示されるように、本発明のＩＣソケットの実施例２においては、ＩＣソケット２１は、中央にＩＣパッケージ装着部２６を有するソケット本体２２と、中央に頂部が開放された窪み部分を有する上下動可能な枠形のカバー部材２３と、カバー部材２３の下部に設けられたカム機構２４と、ソケット本体２２のＩＣパッケージ装着部２６の両側に配列して設けられた複数個の二点接触構造のコンタクト２５とから主に構成されており、周辺または両側に外部コンタクトとしてのフラットリードタイプのＩＣリード３１を有するＩＣパッケージ３０が、ソケット本体２２のＩＣパッケージ装着部２６上に装着されるようになっている。
【００３１】
図示されるように、本発明のＩＣソケット２１において、ソケット本体２２は、装着すべきＩＣパッケージ３０等が載置されて位置決めされるためのＩＣパッケージ装着部２６が中央部分に設けられており、左右両側に多数のコンタクト２５が並列して取付けられている。また、ソケット本体２２には、ＩＣパッケージ装着部２６に装着されるＩＣパッケージ３０を正確に配置するためにＩＣパッケージ位置決め部２８が設けられると共に、コンタクト２５をそれぞれ隔絶して整列するために仕切り２９が設けられており、さらに、これら仕切り２９、２９の間に、ワイピング手段としての接触突出部３２が設けられている。特に、これら接触突出部３２は、複数個の角部３３ａ、３３ｂが設けられており、これら角部３３ａ、３３ｂによってコンタクト２５の固定接点であるコンタクト固定接触部３４の上面と、可動接点であるコンタクト可動接触部３５の下面とをそれぞれ擦って、付着している半田やごみ等を良好に削ぎ落すことができるように形成されている。
【００３２】
また、カバー部材２３は、中央に窪み部分が形成されていて、左右上面の外周縁辺部分に押圧面から成る押圧部２３ａを有しており、カム面が形成されたカム２７が、カバー部材２３の下部に設けられていて、コンタクト２５のコンタクト操作部３６と共にカム機構２４を形成している。
【００３３】
本実施例におけるコンタクト２５は二点接触構造をなしており、ＩＣパッケージ３０のＩＣリード３１を支持するように載置されるコンタクト固定接触部３４と、このコンタクト固定接触部３４に対応してＩＣパッケージ３０のＩＣリード３１を挟持するように可動可能に設けられたコンタクト可動接触部３５と、コンタクト２５を開放作動するためのコンタクト操作部３６と、コンタクト固定接触部３４とコンタクト可動接触部３５を支持するコンタクトばね支持部３７とを有するように屈曲した特異な形状に形成されている。
【００３４】
さらに、コンタクト２５は、ソケット本体２２に一体に取付けられるコンタクト固着部３８を有しており、下方に突出するコンタクト端子部３９がコンタクト固着部３８に設けられていて、検査装置や他の装置等に差込んで取付けできるように構成されている。
【００３５】
本発明におけるこのような二点接触構造のコンタクト２５は、上方に突出するコンタクト操作部３６がカム機構２４のカム２７と協同して作動されるもので、コンタクト固着部３８がソケット本体２２と一体に成形されて固着されており、コンタクト固着部３８から上方に延びるコンタクトばね支持部３７が弾性変形可能になっていてコンタクト５の開閉を可能にしており、コンタクト固着部３８から下方に突出するコンタクト端子部３９が、先の実施例１におけると同様に検査装置や他の適宜な装置等に差込んで取付けできるように構成されている。また、本実施例のコンタクト２５においては、コンタクト固定接触部３４とコンタクト可動接触部３５とコンタクト操作部３６とが、コンタクトばね支持部３７の上部にて３つに分かれていてアーム状に延びており、コンタクト固定接触部３４が十分な長さをなしていて、その上にＩＣパッケージ３０のＩＣリード３１が支持され、コンタクト可動接触部３５が上からＩＣリード３１を押圧するように接触されて、仕切り２９によりそれぞれ隔絶された個々のコンタクト２５が各ＩＣリード３１と電気的に接続されるように構成されている。
【００３６】
このように、カバー部材２３の下方部分には、コンタクト２５のコンタクト操作部３６が係合されるカム面が形成されたカム２７が設けられており、カバー部材２３を下方に押圧した時に、カバー部材２３の下部のカム機構２４のカム２７のカム面によってコンタクト２５のコンタクト操作部３６の先端部が図６において下方外側に向って押されて、コンタクト２５が彎曲変形され、これによってコンタクト可動接触部３５が、ＩＣパッケージ装着部２６に装着されたＩＣパッケージ３０のＩＣリード３１から離されてＩＣパッケージ３０のＩＣリード３１が開放されてフリーになるので、ロボットや手動によってＩＣパッケージ３０を挿入したり、あるいは取り出したりすることが出来る。
【００３７】
さらに、本発明の実施例２においては、カバー部材２３がこのように上下動されてコンタクト２５が開閉されてフリー状態や操作状態に作動される時に、コンタクト２５のコンタクト固定接触部３４の上面とコンタクト可動接触部３５の下面とが接触突出部３２の角部３３ａ、３３ｂに押し当てられて擦られるために、コンタクト固定接触部３４の上面が接触突出部３２の角部３３ａによって擦られて付着していた半田やごみ等が削ぎ落とされると共に、コンタクト可動接触部３５の下面が接触突出部３２の角部３３ｂによって擦られて付着していた半田やごみ等が削ぎ落されてきれいにワイピングされるようになる。これによって、本発明の実施例２では、常に、コンタクト２５がきれいな状態に維持されるので、ＩＣパッケージ３０のＩＣリード３１との接触を良好に達成することができる。
【００３８】
（実施例３）
図１１および図１２は本発明のＩＣソケットの実施例３を示すもので、図１１は、本発明のＩＣソケットのフリー状態での中央縦断面図で、図１２は、図１１のＩＣソケットのコンタクト固定接触部とコンタクト可動接触部とをワイピングするクリーニング状態での拡大部分図である。
【００３９】
図示されるように、本実施例におけるＩＣソケット４１は、先の実施例２におけるＩＣソケットとコンタクト固定接触部の形状が幾分異なるだけで、他の構成に就いては実施例２のものと実質的に同じである。
【００４０】
図示されるように、コンタクト４５は、コンタクト固定接触部５４と、このコンタクト固定接触部５４に対応して可動可能に設けられたコンタクト可動接触部５５とを有する二点接触構造に導電性の金属薄板から、例えば打抜き等によって形成されており、コンタクト固着部５８においてソケット本体４２に固着されていて、このコンタクト固着部５８からコンタクトばね支持部１９が上方に延び、上部においてコンタクト固定接触部５４とコンタクト可動接触部５５とコンタクト操作部１６とに分岐されており、さらに、コンタクト固着部５８から下方にコンタクト端子部５９が突出していて、図示しない他の適宜な装置の接続端子と接続できるようになっている。
【００４１】
このように、コンタクト４５は、ソケット本体４２に固着されるコンタクト固着部５８と、このコンタクト固着部５８から下方に突出するコンタクト端子部５９と、コンタクト固着部５８から上方に屈曲して延びるコンタクトばね支持部５７と、このコンタクトばね支持部５７の上部においてコンタクト固定接触部５４とコンタクト可動接触部５５とコンタクト操作部５６とに３つに分岐されるように図示のような二点接触構造に形成されており、コンタクト固定接触部５４においてＩＣパッケージ５０のＩＣリード５１と接触して下方から支持して、コンタクト固定接触部５４とコンタクト可動接触部５５との間にＩＣパッケージ５０のＩＣリード５１を挟持するようになっている。
【００４２】
他方、コンタクト４５は、コンタクトばね支持部５７の上方において３つに分岐したコンタクト固定接触部５４とコンタクト可動接触部５５とコンタクト操作部５６とを有しており、このコンタクト可動接触部５５の先端部分においてＩＣパッケージ５０のＩＣリード５１と上方から接触するように形成されている。また、コンタクトばね支持部５７において分岐して上方に突出して延びているコンタクト操作部５６の先端部が、カバー部材４３の下部に設けられたカム機構４４のカム４７のカム面とカム係合してコンタクト４５を開放作動するように構成されている。
【００４３】
また、コンタクト４５のコンタクトばね支持部１９から分岐して上方に延びるコンタクト操作部５６は、図示されるようにカバー部材４３の下部のカム機構４４のカム４７のカム面と当接しており、カバー部材４３が下方に押圧される時に、コンタクト操作部５６の先端部を、下方外側へと移動させるので、これによってコンタクト固定接触部５４とコンタクト可動接触部５５とが開放されると同時に、ワイピング手段としての接触突出部５２の角部５３ａ、５３ｂが、コンタクト固定接触部５４の上面とコンタクト可動接触部５５の下面とを良好にワイピングして払拭するために、付着していた半田やごみ等がきれいに取り除かれてクリーニングされ、コンタクト固定接触部５４上に置かれるＩＣパッケージ５０のＩＣリード５１との接触をガタツキ無く良好に得ることができる。
【００４４】
このように、本発明の実施例３においては、カバー部材４３がこのように上下動されてコンタクト４５が開閉されてフリー状態や操作状態に作動される時に、コンタクト４５のコンタクト固定接触部５４の上面とコンタクト可動接触部５５の下面とが接触突出部５２の角部５３ａ、５３ｂに押し当てられて擦られるために、コンタクト固定接触部５４の上面が接触突出部５２の角部５３ａによって擦られて付着していた半田やごみ等が削ぎ落とされると共に、コンタクト可動接触部５５の下面が接触突出部５２の角部５３ｂによって擦られて付着していた半田やごみ等が削ぎ落されてきれいにワイピングされるようになる。これによって、本発明の実施例３では、常に、コンタクト４５がきれいな状態に維持されるので、ＩＣパッケージ５０のＩＣリード５１との接触をガタツキ無く良好に達成することができる。
【００４５】
【発明の効果】
本発明の請求項１記載のＩＣソケットは、ＩＣパッケージが装着されるソケット本体と、該ソケット本体に設けられた複数個のコンタクトと、前記ソケット本体上に装着されるＩＣパッケージと、上下動可能なカバー部材と、前記コンタクトを開閉作動するカム機構とを有するＩＣソケットにおいて、前記コンタクトの接触部分をワイピングする手段を有するので、コンタクトにおける接触部分を常にクリーニングして清浄に維持して接触の信頼性を向上して、接触不良やガタツキを無くすように、コンタクトにくっついた半田やごみ等を擦り落してコンタクトを清浄にすることができる。
【００４６】
本発明の請求項２記載のＩＣソケットは、前記コンタクトが、一点接触構造のコンタクトで、前記ワイピング手段が、前記ソケット本体のＩＣパッケージ装着部に隣接した接触突出部を有するので、コンタクトに付着した半田やごみ等をワイピング手段としての接触突出部によって良好に擦り落したり、削ぎ落してコンタクトをクリーニングすることができる。
【００４７】
本発明の請求項３記載のＩＣソケットは、前記コンタクトが、コンタクト接触部と、コンタクトを開放作動するコンタクト操作部と、前記コンタクト接触部を弾性支持するコンタクトばね部と、コンタクト端子部とを有するので、コンタクトを好適な形状に製作することができ、効果的なクリーニングを行うことができる。
【００４８】
本発明の請求項４記載のＩＣソケットは、前記コンタクトが、二点接触構造のコンタクトで、前記ワイピング手段が、前記ソケット本体のＩＣパッケージ装着部に隣接してコンタクト固定接触部およびコンタクト可動接触部間に配設された接触突出部を有するので、コンタクトを良好な形状に製作することができ、効果的なクリーニングを行って、接触の信頼性を向上することができる。
【００４９】
本発明の請求項５記載のＩＣソケットは、前記コンタクトが、コンタクト固定接触部と、該コンタクト固定接触部に対応して可動可能に設けられたコンタクト可動接触部と、前記コンタクト固定接触部を支持するコンタクト固定ばね部と、コンタクトを開放作動するコンタクト操作部と、前記コンタクト可動接触部を支持するコンタクト可動ばね部と、コンタクト端子部とを有するので、コンタクトを好適に製作することができ、クリーニングを効果的に行って、付着していた半田やごみ等を除去して接触の信頼性を向上することができる。
【００５０】
本発明の請求項６記載のＩＣソケットは、前記コンタクト接触部が、前記接触突出部によってワイピングされるので、常にコンタクト接触部がクリーニングされて清浄にされている。
【００５１】
本発明の請求項７記載のＩＣソケットは、前記カム機構が、前記カバー部材に設けられたカム面を有するので、簡単なカム機構で、良好に作動することができる。
【図面の簡単な説明】
【図１】本発明の実施例１のＩＣソケットのフリー状態での中央縦断面図である。
【図２】図１のＩＣソケットの操作状態での中央縦断面図である。
【図３】図１のＩＣソケットのコンタクトとＩＣリードとの接触状態を示すコンタクト接触部の拡大部分図である。
【図４】図２のＩＣソケットのコンタクト接触部をワイピングするクリーニング状態での拡大部分図である。
【図５】図４のコンタクト接触部の斜視図である。
【図６】本発明の実施例２のＩＣソケットのフリー状態での中央縦断面図で、
【図７】図６のＩＣソケットの操作状態での中央縦断面図である。
【図８】図６のＩＣソケットのコンタクトとＩＣリードとの接触状態を示すコンタクト接触部の拡大部分図である。
【図９】図８のＩＣソケットのコンタクト接触部をワイピングするクリーニング状態での拡大部分図である。
【図１０】図９のコンタクト接触部の斜視図である。
【図１１】本発明の実施例３のＩＣソケットのフリー状態での中央縦断面図である。
【図１２】図１１のＩＣソケットのコンタクト固定接触部とコンタクト可動接触部とをワイピングするクリーニング状態での拡大部分図である。
【図１３】従来のＩＣソケットにおけるコンタクトが一点接触タイプ、すなわち一点接触構造のＩＣソケットのフリー状態時の中央縦断面図である。
【図１４】図１３の従来のＩＣソケットの開閉時の操作状態時の中央縦断面図である。
【図１５】従来のＩＣソケットにおけるコンタクトが二点接触タイプ、すなわち二点接触構造のＩＣソケットのフリー状態時開閉時の中央縦断面図である。
【図１６】図１５の従来のＩＣソケットの開閉時の操作状態時の中央縦断面図である。
【符号の説明】
１　　　　ＩＣソケット
２　　　　ソケット本体
３　　　　カバー部材
４　　　　カム機構
５　　　　コンタクト
６　　　　ＩＣパッケージ装着部
７　　　　カム
８　　　　ＩＣパッケージ位置決め部
９　　　　仕切り
１０　　　ＩＣパッケージ
１１　　　ＩＣリード
１２　　　接触突出部
１３ａ　　角部
１３ｂ　　角部
１４　　　コンタクト接触部
１５　　　コンタクト上ばね部
１６　　　コンタクト操作部
１７　　　コンタクト下ばね部
１８　　　コンタクト固着部
１９　　　コンタクト端子部
２１　　　ＩＣソケット
２２　　　ソケット本体
２３　　　カバー部材
２４　　　カム機構
２５　　　コンタクト
２６　　　ＩＣパッケージ装着部
２７　　　カム
２８　　　ＩＣパッケージ位置決め部
２９　　　仕切り
３０　　　ＩＣパッケージ
３１　　　ＩＣリード
３２　　　接触突出部
３３ａ　　角部
３３ｂ　　角部
３４　　　コンタクト固定接触部
３５　　　コンタクト可動接触部
３６　　　コンタクト操作部
３７　　　コンタクトばね支持部
３８　　　コンタクト固着部
３９　　　コンタクト端子部
４１　　　ＩＣソケット
４２　　　ソケット本体
４３　　　カバー部材
４４　　　カム機構
４５　　　コンタクト
４６　　　ＩＣパッケージ装着部
４７　　　カム
４８　　　ＩＣパッケージ位置決め部
４９　　　仕切り
５０　　　ＩＣパッケージ
５１　　　ＩＣリード
５２　　　接触突出部
５３ａ　　角部
５３ｂ　　角部
５４　　　コンタクト固定接触部
５５　　　コンタクト可動接触部
５６　　　コンタクト操作部
５７　　　コンタクトばね支持部
５８　　　コンタクト固着部
５９　　　コンタクト端子部
【図１】
2004055408.tif 000003
【図２】
2004055408.tif 000004
【図３】
2004055408.tif 000005
【図４】
2004055408.tif 000006
【図５】
2004055408.tif 000007
【図６】
2004055408.tif 000008
【図７】
2004055408.tif 000009
【図８】
2004055408.tif 000010
【図９】
2004055408.tif 000011
【図１０】
2004055408.tif 000012
【図１１】
2004055408.tif 000013
【図１２】
2004055408.tif 000014
【図１３】
2004055408.tif 000015
【図１４】
2004055408.tif 000016
【図１５】
2004055408.tif 000017
【図１６】
2004055408.tif 000018